(57)【特許請求の範囲】
【請求項１】
バックライトモジュールと、
バックライトモジュール上に重ね合わせて設けられた表示パネルと、
前記表示パネルと前記バックライトモジュールとの間にあって前記表示パネルと前記バックライトモジュールとを貼り合わせるための両面粘着テープおよび保護フィルムと、を含んでなる表示装置であって、
前記表示パネルは、上偏光シートと、上層ガラスと、下層ガラスと、下偏光シートと、を順に積層して構成されており、かつ、前記下層ガラスの外縁部が延伸してフレーム領域を形成しており、
前記保護フィルムは粘着性がなく、かつ、複数の窓を有し、前記保護フィルムは前記両面粘着テープの一方の面に貼着し、
前記両面粘着テープの他方の面は前記バックライトモジュールに粘着し、
前記表示パネルの前記フレーム領域は、前記保護フィルムの前記両面粘着テープに接する側とは反対の側に位置しており、かつ、前記保護フィルムの前記窓を介してのみ前記両面粘着テープと前記フレーム領域とが接触し、これにより前記表示パネルの前記フレーム領域と前記バックライトモジュールとが粘着し、かつ、
前記両面粘着テープが前記下偏光フィルムの下面に至るまで延伸し、前記下偏光シートの前記下面と前記バックライトモジュールの上面との間に前記両面粘着テープを挟んで前記下偏光シートの前記下面と前記バックライトモジュールの上面とが粘着し、このとき、前記保護フィルムと前記下偏光シートの上面が同一の高さの平面となるように高さを揃える
ことを特徴とする表示装置。
【請求項２】
請求項１に記載の表示装置において、
前記フレーム領域の上面にチップとフレキシブル回路基板とを設け、前記チップと前記フレキシブル回路基板とを設けることによって前記表示パネルのタッチ機能を実現する
ことを特徴とする表示装置。
【請求項３】
請求項１に記載の表示装置において、
前記バックライトモジュールが、樹脂枠と、導光板と、光学フィルムと、ストリップライト光源とを含み、
前記導光板が、前記樹脂枠が囲繞する空間内に設けられ、
前記ストリップライト光源が、前記樹脂枠と前記導光板とが隣り合う位置に設けられ、
前記光学フィルムが、前記導光板上に積層して設けられ、
前記下偏光シートが、前記光学フィルムの前記導光板側とは反対の側に設けられ、
前記両面粘着テープが、前記樹脂枠と、前記ストリップライト光源と、前記光学フィルムの外縁部に粘着する
ことを特徴とする表示装置。
【請求項４】
請求項３に記載の表示装置において、
前記ストリップライト光源が、ベース座と発光部材とを含み、
前記発光部材が前記ベース座の一方の側に突設し、かつ前記発光部材が前記樹脂枠と前記導光板との間に延伸し、
前記ベース座の前記発光部材を設ける側と反対の側の表面は前記樹脂枠の上面と高さを揃え、
両者によって共同で貼着面を形成し、前記両面粘着テープが前記貼着面に粘着する
ことを特徴とする表示装置。
【請求項５】
請求項１に記載の表示装置において、
前記保護フィルムが、前記両面粘着テープと一体に構成されるか、もしくは分離した構造とされる
ことを特徴とする表示装置。
【発明の詳細な説明】
【技術分野】
【０００１】
この発明は、液晶表示技術に関し、特に表示装置に関する。
【背景技術】
【０００２】
目下、液晶表示装置は電子デバイスのディスプレーとして、すでに各種電子製品に幅広く応用されている。これら電子デバイスのフレームは、ますます狭額化されていて、輝度に対する要求もますます高くなっている。同時に節電の要求を満足させなければならない。表示装置と表示パネルは液晶表示装置において重要な部材となっている。
【０００３】
一般に、液晶パネルは両面粘着テープで表示装置の四隅に固定される。然しながら、液晶モジュールの厚さはますます薄くなってきている。これにともない、液晶表示パネルの厚さに対しても過酷な要求が突き付けられている。表示パネルの厚さが薄くなると、表示パネルの側縁を両面粘着テープに接着するため、両面粘着テープの粘着力による液晶表示パネルの損壊が容易に発生する。特に、接着しなおす場合、液晶表示パネルを両面粘着テープから剥離させなければならず、両面粘着テープの粘着性を克服しなければ、液晶表示パネルは容易に損壊する。
【発明の概要】
【発明が解決しようとする課題】
【０００４】
この発明は、上述する従来の技術にみられる問題を解決するものであって、表示装置の表示パネルの質量と寿命を保証し、かつ接着しなおす場合に表示パネルが損壊しにくい表示装置を提供することを課題とする。
【課題を解決するための手段】
【０００５】
上述する課題を解決するために、この発明の提供する技術プランは次のとおりである。即ち、表示パネルとバックライトモジュールとを含み、かつ両面粘着テープと保護フィルムとをさらに含んでなり、該表示パネルは該バックライトモジュール上に重ね合わせて設け、該表示パネルはフレーム領域を含み、該保護フィルムは粘着性がなく、複数の窓を形成してなり、該保護フィルムは該両面粘着テープの一方の面に貼着し、該両面粘着テープの他方の面は該バックライトモジュールに粘着し、該表示パネルのフレーム領域が、該保護フィルムの両面粘着テープに接する側とは反対の側に位置し、該窓を介して領域内の該両面粘着テープと該フレーム領域とが接触して該表示パネルを該バックライトモジュールに粘着する。  
【０００６】
前記表示パネルが、上偏光シートと、上層ガラスと、下層ガラスと、下偏光シートとを順に積層して設けられ、該下層ガラスの外縁部が延伸して該フレーム領域を形成し、該両面粘着テープが該下偏光フィルムのフレーム底部に至るまで延伸して、該下偏光シートがバックライトモジュールに粘着する。
【０００７】
前記保護フィルムの上面が、該フレーム領域の底面に接触し、該下偏光シートの上面が該下ガラス層に接触し、該保護フィルムと該下偏光シートの上面が同一の高さの平面となるように高さを揃える。
【０００８】
前記フレーム領域の上面にチップとフレキシブル回路基板とを設け、該チップと該フレキシブル回路基板とを設ける。
【０００９】
前記バックライトモジュールが、樹脂枠と、導光板と、光学フィルムと、ストリップライト光源とを含み、該導光板が、該樹脂枠が囲繞する空間内に設けられ、該ストリップライト光源が、該樹脂枠と該導光板とが隣り合う位置に設けられ、該光学フィルムが、該導光板上に積層して設けられ、該下偏光シートが、該光学フィルムの該導光板側とは反対の側に設けられ、該両面粘着テープが、該樹脂枠と該ストリップライト光源と、該光学フィルムの外縁部に粘着する。
【００１０】
前記ストリップライト光源が、ベース座と発光部材とを含み、該発光部材が該ベース座の一方の側に突設し、かつ該発光部材が該樹脂枠と該導光板との間に延伸し、該ベース座の該発光部材を設ける側と反対の側の表面は該樹脂枠の上面と高さを揃え、両者によって共同で貼着面を形成すし、該両面粘着テープが該貼着面に粘着する。
【００１１】
前記保護フィルムは、該両面粘着テープと一体に構成するか、もしくは分離した構造とする。
【発明の効果】
【００１２】
この発明は、両面粘着テープと表示パネルのフレーム領域との間に保護フィルムを設ける。該保護フィルムは粘着生がなく、フレーム領域と保護フィルムが接触すると、フレーム領域とバックライトモジュールとの間の粘着強度を低下させることができる。よって表示パネルをバックライトモジュールから剥離させる過程において、表示パネルの損壊を最小限に抑えることができ、また保護フィルムを設けることによって、表示パネルのフレーム領域とバックライトモジュールとの間に隙間がなくなり、隙間が存在することによって起きる表示パネル内の応力を提言させて液晶表示パネルお表示効果を優れたものとすることができる。
【図面の簡単な説明】
【００１３】
【図１】この発明の実施例における表示装置の断面を示した説明図である。
【図２】図１に開示する表示装置における保護フィルムを示した説明図である。
【発明を実施するための形態】
【００１４】
この発明における技術プランを詳述するために、具体的な実施例を挙げ、図面を参照して完全に説明する。
【実施例】
【００１５】
図１に開示するこの発明の表示装置は、表示パネル１０とバックライトモジュール２０とを含む。表示パネル１０はバックライトモジュール２０上に重ね合わせて設ける。表示パネル１０はフレーム領域１６２を含む、表示装置は両面粘着テープ３０と保護フィルム４０とをさらに含む。保護フィルム４０粘着性がなく、かつ図２に開示するように複数の窓４２を形成する。保護フィルム４０は両面粘着テープ３０の一方の面に貼着する。両面粘着テープ３０の他方の面はバックライトモジュール２０に粘着する。表示パネル１０のフレーム領域１６２は、保護フィルム４０の両面粘着テープ３０に接する側とは反対の側に位置し、窓４２を介して領域内の両面粘着テープ３０とフレーム領域１６２とが接触して表示パネル１０をバックライトモジュール２０に粘着する。
【００１６】
この発明は、両面粘着テープ３０と表示パネル１０のフレーム領域１６２との間に保護フィルム４０を設ける。保護フィルム４０には粘着性がないため、フレーム領域１６２と保護フィルム４０との接触は、表示パネル１０のフレーム領域１６２とバックライトモジュール２０との間の粘着強度を低下させることができる。よって、表示パネル１０をバックライトモジュール２０から剥離する過程においてパネルの損壊を最小限に抑制することができる。
【００１７】
保護フィルム４０を設けることによって、表示パネル１０のフレーム領域１６２とバックライトモジュール２０との間に隙間がなくなる。このため、隙間が存在することで起きる表示パネル１０内の応力を低下させ、表示パネル１０の表示効果を優れたものとすることができる。
【００１８】
具体的に述べると、表示パネル１０は順に積層して設ける上偏光シート１２と、上層ガラス１４と、下層ガラス１６と、下偏光シート１８とを含む。下層ガラス１６は、外縁部が延伸してフレーム領域１６２を形成する、両面粘着テープ３０は下偏光フィルム１８のフレーム底部に至るまで延伸して、下偏光シート１８がバックライトモジュール２０に粘着する。
【００１９】
保護フィルム４０の上面は、フレーム領域１６２の底面に接触し、下偏光シート１８の上面が下ガラス層１６に接触する。保護フィルム４０と下偏光シート１８は、それぞれの上面の高さが揃うように設計する。よって、下層ガラス１６の平面度を保証することができ、さらには表示パネル１０の表示効果を保証することができる。
【００２０】
フレーム領域１６２の上面にはチップ１５とフレキシブル回路基板１３とを設ける。チップ１５とフレキシブル回路基板１３とを設けることによって表示パネル１０のタッチ機能を実現することができる。保護フィルム４０を設けることによって表示パネル１０を同一平面上に保持することができ、かつ表示パネル１０のフレーム領域１６２とバックライトモジュール２０とを取り付ける場合、隙間なく取り付けることができ、表示パネル１０のフレーム領域１６２の変形を防ぐことができ、このためチップ１５とフレキシブル回路基板１３との間の良好な信号の伝送を保証することができる。さらには表示パネル１０の表示効果を保証することができる。
【００２１】
バックライトモジュール２０の具体的な構造は以下に述べるとおりである。即ち、バックライトモジュール２０は、樹脂枠２２と、導光板２４と、光学フィルム２６と、ストリップライト光源２８とを含む。導光板２４は樹脂枠２２が囲繞する空間内に設ける。ストリップライト光源２８は、樹脂枠２２と導光板２４とが隣り合う位置に設ける。光学フィルム２６は導光板２４上に積層して設ける。下偏光シート１８は光学フィルム２６の導光板２４側とは反対の側に設ける。両面粘着テープ３０は樹脂枠２２と、ストリップライト光源２８と、光学フィルム２６の外縁部に粘着する。
【００２２】
ストリップライト光源２８は、ベース座２８２と発光部材２８４とを含む。発光部材２８４はベース座２８２の一方の側に突設し、かつ発光部材２８４は樹脂枠２２と導光板２４との間に延伸する、ベース座２８２の発光部材２８４を設ける側と反対の側の表面は、樹脂枠２２の上面と高さを揃え、両者によって共同で貼着面を形成する。両面粘着テープ３０は該貼着面に粘着する。
【００２３】
バックライトモジュール２０は、バックプレート２７と反射板２５とを含み、バックプレート２７は導光板２４と樹脂枠２２を支持するために用いる。反射板２５は導光板２４の底面に設ける。他の実施の形態において、反射板２５は反射層を塗布して代替としてよい。
【００２４】
保護フィルム４０は両面粘着テープ３０と一体に構成するか、もしくは分離した構造としてもよい。一帯に構成する場合は、両面粘着テープ３０の製造過程において、両面粘着テープ３０の一方の面の粘着剤でスペーサーを形成する多段粘着形式とする。保護フィルム４０の窓４２の分布構造に類似する。同時に、両面粘着テープ３０の厚さを通常の両面粘着テープ３０より厚くする。このため表示パネル１０とバックライトモジュール２０とを取り付ける場合、隙間なく取り付けることができる。分離した構造にする場合は、図２に開示する粘着性のない保護フィルム４０を単独で制作し、通常の両面粘着テープ３０の表面を保護フィルム４０に粘着する。
【００２５】
以上はこの発明の優先的な実施の形態を述べたものであるが、当業者の普通の技術と知識を有する者であれば、この発明の原理を離れないことを前提として、若干の変更、修正などを行うことができる。但し、これら変更、修正などは、いずれもこの発明の特許請求の範囲に含まれるものとする。
【符号の説明】
【００２６】
１０      表示パネル
１２      上偏光シート
１３      フレキシブル回路基板
１４      上層ガラス
１５      チップ
１６      下層ガラス
１６２    フレーム領域
１８      下偏光シート
２０      バックライトモジュール
２２      樹脂枠
２４      導光板
２５      反射板
２６      光学フィルム
２７      バックプレート
２８      ストリップライト光源
２８２    ベース座
２８４    発光部材
３０      両面粘着テープ
４０      保護フィルム
４２      窓
【図１】
0006369924.tif 000002
【図２】
0006369924.tif 000003